(57)【要約】【課題】  第１レーザ発光部および第１レンズと、第２レーザ発光部および第２レンズとを、効率的に配置して、構成の簡略化およびコストの低減化を図ることができ、しかも、第１レーザ発光部および第１レンズとの間、第２レーザ発光部および第２レンズとの間の位置調整を容易に達成することのできる、光走査装置、および、その光走査装置を備える画像形成装置を提供すること。【解決手段】  レーザ照射光学部１８において、第１レーザ発光部２５ａを保持し、第１挿通孔４７が形成される第１ホルダ板３０と、第２レーザ発光部２５ｂを保持し、第２挿通孔５１が形成される第２ホルダ板３１と、第１コリメートレンズ２６ａおよび第１コリメートレンズ２６ｂを支持し、第１螺着孔４２および第２螺着孔４３が形成されるベース板３２とを、折り曲げ加工により連続して形成する。【選択図】    図４
2006178370.tif 000002
【特許請求の範囲】
【請求項１】
第１レーザ光を発光する第１レーザ発光部を保持する第１保持部と、第１ねじを挿通する第１ねじ挿通部とを備える第１保持部材と、
第２レーザ光を発光する第２レーザ発光部を保持する第２保持部と、第２ねじを挿通する第２ねじ挿通部とを備える第２保持部材と、
前記第１レーザ光が通過する第１レンズを支持する第１レンズ支持部と、前記第２レーザ光が通過する第２レンズを支持する第２レンズ支持部と、前記第１ねじ挿通部に挿通された前記第１ねじを固定するために挿通する第１ねじ挿通固定部と、前記第２ねじ挿通部に挿通された前記第２ねじを固定するために挿通する第２ねじ挿通固定部とを備えるベース部材と
前記第１レーザ光および前記第２レーザ光を主走査方向に偏向および走査する光偏向手段とを備えていることを特徴とする、光走査装置。
【請求項２】
前記第１保持部材、前記第２保持部材および前記ベース部材が、連続して形成されていることを特徴とする、請求項１に記載の光走査装置。
【請求項３】
前記第１保持部材、前記第２保持部材および前記ベース部材は、板金を折り曲げることによって形成されていることを特徴とする、請求項２に記載の光走査装置。
【請求項４】
前記第１ねじ挿通部と前記第１ねじ挿通固定部とは、互いに間隔を隔てて配置され、かつ、前記第１保持部材と第１レンズ支持部とは、前記第１ねじ挿通部と前記第１ねじ挿通固定部との対向方向において、間隔を隔てて配置されており、
前記第１ねじの前記第１ねじ挿通固定部に対する進退により、前記第１保持部材と第１レンズ支持部との間隔が調整され、
前記第２ねじ挿通部と前記第２ねじ挿通固定部とは、互いに間隔を隔てて配置され、かつ、前記第２保持部材と第２レンズ支持部とは、前記第２ねじ挿通部と前記第２ねじ挿通固定部との対向方向において、間隔を隔てて配置されており、
前記第２ねじの前記第２ねじ挿通固定部に対する進退により、前記第２保持部材と第２レンズ支持部との間隔が調整されることを特徴とする、請求項１ないし３のいずれかに記載の光走査装置。
【請求項５】
前記第１レンズ支持部と前記第２レンズ支持部とは、副走査方向において互いに異なる位置に配置され、
前記第１レンズ支持部を通過した前記第１レーザ光、および、前記第２レンズ支持部を通過した前記第２レーザ光の少なくとも一方を反射して、前記第１レーザ光および前記第２レーザ光の主走査方向における相対位置を一致させるための光反射手段を備えていることを特徴とする、請求項１ないし４のいずれかに記載の光走査装置。
【請求項６】
前記第１レーザ光の光路における前記第１レンズ支持部と前記光反射手段との間、および、前記第２レーザ光の光路における前記第２レンズ支持部と前記光反射手段との間に、それぞれスリットが開口されているスリット部材を備えていることを特徴とする、請求項５に記載の光走査装置。
【請求項７】
前記光反射手段を位置決めするための位置決め手段を備え、
前記スリット部材は、前記位置決め手段と一体的に形成されていることを特徴とする、請求項６に記載の光走査装置。
【請求項８】
前記ベース部材には、前記第１レンズ支持部と前記第２レンズ支持部との間に、副走査方向の段差部が設けられていることを特徴とする、請求項１ないし７のいずれかに記載の光走査装置。
【請求項９】
前記第１保持部材と、前記第２保持部材とは、互いに略直角方向に配置されていることを特徴とする、請求項１ないし８のいずれかに記載の光走査装置。
【請求項１０】
前記ベース部材は、前記第１ねじ挿通固定部および前記第２ねじ挿通固定部が支持される支持部材を備え、
前記第１ねじ挿通固定部と前記第２ねじ挿通固定部とは、前記支持部材から互いに反対方向に折り曲げられることにより、形成されていることを特徴とする、請求項１ないし９のいずれかに記載の光走査装置。
【請求項１１】
前記第１保持部材、前記第２保持部材および前記ベース部材を１組の光学要素として、前記光学要素を複数備え、
前記光偏向手段は、複数の偏向面を備えており、
各前記光学要素から発光される前記第１レーザ光および前記第２レーザ光が、異なる前記光学要素毎に、前記光偏向手段の異なる偏向面に照射されることを特徴とする、請求項１ないし１０のいずれかに記載の光走査装置。
【請求項１２】
前記光学要素を、２つ備えていることを特徴とする、請求項１１に記載の光走査装置。
【請求項１３】
一方の前記光学要素から発光される前記第１レーザ光および前記第２レーザ光と、他方の前記光学要素から発光される前記第１レーザ光および前記第２レーザ光とが、前記光偏向手段に対して、平行して入射されるように、各前記光学要素が配置されていることを特徴とする、請求項１２に記載の光走査装置。
【請求項１４】
請求項１ないし１３のいずれかに記載の光走査装置と、
前記光偏向手段によって主走査方向に走査された第１レーザ光および第２レーザ光の各レーザ光に対してそれぞれ設けられ、各レーザ光がそれぞれ照射され、その照射により静電潜像がそれぞれ形成される複数の感光体とを備えていること特徴とする、画像形成装置。
【請求項１５】
請求項１２または１３に記載の光走査装置と、
前記光偏向手段によって主走査方向に走査された２組の第１レーザ光および第２レーザ光の各レーザ光に対してそれぞれ設けられ、各レーザ光がそれぞれ照射され、その照射により静電潜像がそれぞれ形成される４つの感光体とを備え、
各前記感光体に形成された静電潜像が、互いに異なる色で現像されることを特徴とする、画像形成装置。
【発明の詳細な説明】
【技術分野】
【０００１】
本発明は、レーザプリンタなどの画像形成装置、および、その画像形成装置に装備される光走査装置に関する。
【背景技術】
【０００２】
レーザプリンタなどの電子写真方式の画像形成装置では、感光ドラムに形成された静電潜像をトナーで現像してトナー像を形成し、これを用紙に転写して、画像形成するようにしている。
このような画像形成装置には、感光ドラムに静電潜像を形成するための光走査装置が装備されている。光走査装置では、レーザダイオードから発光されたレーザ光が、コリメートレンズで平行光束にコリメートされ、スリットを介して光束の広がりが規制された後、シリンドリカルレンズによって副走査方向に集束され、高速回転するポリゴンミラー上で結像される。そして、ポリゴンミラーにより反射された光束は、主走査方向に走査され、各種レンズやミラーを介して、光走査装置から感光ドラムに向けて出射される。
【０００３】
このような光走査装置では、光束の出発点、すなわち、レーザダイオードとコリメートレンズとを、高精度で位置合わせしなければ、それ以後の光路のずれが大きくなる。
そのため、たとえば、レーザダイオードを、接続部分を支点、延設端部を力点とする保持部の作用点に配置して、力点にてネジの調整によって、レーザダイオードとコリメートレンズとの距離を微調整することが提案されている。
【特許文献１】特開２００４−１６３４６３号公報
【発明の開示】
【発明が解決しようとする課題】
【０００４】
しかるに、イエロー、マゼンタ、シアンおよびブラックに対応して、各色の静電潜像が形成される４つの感光ドラムが設けられる、タンデム型のカラーレーザプリンタが知られている。
このようなタンデム型のカラーレーザプリンタでは、４つの感光ドラムに対して、各色に対応する静電潜像をそれぞれ形成するので、４つの感光ドラムに対応して、４つのレーザダイオードおよびコリメートレンズが必要となる。そのため、特許文献１に記載されるようなレーザダイオードとコリメートレンズとを位置調整可能に保持する保持部も、４つ必要となる。
【０００５】
しかし、このような保持部を、各レーザダイオードおよびコリメートレンズに対応して設けると、装置構成が複雑となり、また、コストの高騰を生じる。
また、各保持部において、各レーザダイオードおよびコリメートレンズ間の精度のよい位置調整が必要となる。
本発明の目的は、第１レーザ発光部および第１レンズと、第２レーザ発光部および第２レンズとを、効率的に配置して、構成の簡略化およびコストの低減化を図ることができ、しかも、第１レーザ発光部および第１レンズとの間、第２レーザ発光部および第２レンズとの間の位置調整を容易に達成することのできる、光走査装置、および、その光走査装置を備える画像形成装置を提供することにある。
【課題を解決するための手段】
【０００６】
上記目的を達成するため、請求項１に記載の発明は、光走査装置であって、第１レーザ光を発光する第１レーザ発光部を保持する第１保持部と、第１ねじを挿通する第１ねじ挿通部とを備える第１保持部材と、第２レーザ光を発光する第２レーザ発光部を保持する第２保持部と、第２ねじを挿通する第２ねじ挿通部とを備える第２保持部材と、前記第１レーザ光が通過する第１レンズを支持する第１レンズ支持部と、前記第２レーザ光が通過する第２レンズを支持する第２レンズ支持部と、前記第１ねじ挿通部に挿通された前記第１ねじを固定するために挿通する第１ねじ挿通固定部と、前記第２ねじ挿通部に挿通された前記第２ねじを固定するために挿通する第２ねじ挿通固定部とを備えるベース部材と、前記第１レーザ光および前記第２レーザ光を主走査方向に偏向および走査する光偏向手段とを備えていることを特徴としている。
【０００７】
このような構成によると、第１レーザ発光部を、第１保持部材に設けられる第１保持部に保持させ、第２レーザ発光部を、第２保持部材に設けられる第２保持部に保持させて、第１レンズおよび第２レンズを、ベース部材に設けられる第１レンズ支持部および第２レンズ支持部にそれぞれ支持させることにより、これら第１レーザ発光部および第１レンズと、第２レーザ発光部および第２レンズとを、効率的に配置して、構成の簡略化およびコストの低減化を図ることができる。
【０００８】
しかも、第１ねじを、第１保持部材に設けられる第１ねじ挿通部に挿通した後、ベース部材に設けられる第１ねじ挿通固定部に、位置調整して固定することにより、第１保持部材とベース部材との相対配置を調整して、第１レンズに対して第１レーザ発光部を位置調整することができる。また、第２ねじを、第２保持部材に設けられる第２ねじ挿通部に挿通した後、ベース部材に設けられる第２ねじ挿通固定部に、位置調整して固定することにより、第２保持部材とベース部材との相対配置を調整して、第２レンズに対して第２レーザ発光部を位置調整することができる。そのため、第１レーザ発光部および第１レンズとの間、第２レーザ発光部および第２レンズとの間の位置調整を容易に達成することができる。
【０００９】
また、請求項２に記載の発明は、請求項１に記載の発明において、前記第１保持部材、前記第２保持部材および前記ベース部材が、連続して形成されていることを特徴としている。
このような構成によると、第１保持部材、第２保持部材およびベース部材が、連続して形成されているので、これらを一体的に形成することができる。そのため、部品点数の低減化および構成の簡略化を図ることができる。
【００１０】
また、請求項３に記載の発明は、請求項２に記載の発明において、前記第１保持部材、前記第２保持部材および前記ベース部材は、板金を折り曲げることによって形成されていることを特徴としている。
このような構成によると、板金の折り曲げにより、第１保持部材、第２保持部材およびベース部材が連続して形成されているので、構成の簡略化およびコストの低減化を図ることができる。
【００１１】
また、請求項４に記載の発明は、請求項１ないし３のいずれかに記載の発明において、前記第１ねじ挿通部と前記第１ねじ挿通固定部とは、互いに間隔を隔てて配置され、かつ、前記第１保持部材と第１レンズ支持部とは、前記第１ねじ挿通部と前記第１ねじ挿通固定部との対向方向において、間隔を隔てて配置されており、前記第１ねじの前記第１ねじ挿通固定部に対する進退により、前記第１保持部材と第１レンズ支持部との間隔が調整され、前記第２ねじ挿通部と前記第２ねじ挿通固定部とは、互いに間隔を隔てて配置され、かつ、前記第２保持部材と第２レンズ支持部とは、前記第２ねじ挿通部と前記第２ねじ挿通固定部との対向方向において、間隔を隔てて配置されており、前記第２ねじの前記第２ねじ挿通固定部に対する進退により、前記第２保持部材と第２レンズ支持部との間隔が調整されることを特徴としている。
【００１２】
このような構成によると、第１ねじ挿通部に挿通された第１ねじを、第１ねじ挿通固定部に対して進退させれば、第１ねじ挿通部と第１ねじ挿通固定部との対向方向において間隔を隔てて配置されている第１保持部材および第１レンズ支持部の相対位置を調整して、第１レンズに対する第１レーザ発光部の精度のよい位置調整を達成することができる。また、第２ねじ挿通部に挿通された第２ねじを、第２ねじ挿通固定部に対して進退させれば、第２ねじ挿通部と第２ねじ挿通固定部との対向方向において間隔を隔てて配置されている第２保持部材および第２レンズ支持部の相対位置を調整して、第２レンズに対する第２レーザ発光部の精度のよい位置調整を達成することができる。
【００１３】
また、請求項５に記載の発明は、請求項１ないし４のいずれかに記載の発明において、前記第１レンズ支持部と前記第２レンズ支持部とは、副走査方向において互いに異なる位置に配置され、前記第１レンズ支持部を通過した前記第１レーザ光、および、前記第２レンズ支持部を通過した前記第２レーザ光の少なくとも一方を反射して、前記第１レーザ光および前記第２レーザ光の主走査方向における相対位置を一致させるための光反射手段を備えていることを特徴としている。
【００１４】
このような構成によると、光反射手段によって、第１レーザ光および第２レーザ光の主走査方向における相対位置を一致させるので、第１レンズ支持部と第２レンズ支持部とを、副走査方向において互いに異なる位置に配置して、第１レーザ発光部および第１レンズと、第２レーザ発光部および第２レンズとの効率的なレイアウトを確保することができ、装置の小型化を図ることができる。
【００１５】
また、請求項６に記載の発明は、請求項５に記載の発明において、前記第１レーザ光の光路における前記第１レンズ支持部と前記光反射手段との間、および、前記第２レーザ光の光路における前記第２レンズ支持部と前記光反射手段との間に、それぞれスリットが開口されているスリット部材を備えていることを特徴としている。
このような構成によると、第１レンズ支持部に支持される第１レンズを通過した第１レーザ光は、スリットを通過した後に光反射手段に入射する。スリットを通過した後の第１レーザ光は、スリットによって断面形状が制限されるので、第２レーザ光に対して干渉することが防止される。また、第２レンズ支持部に支持される第２レンズを通過した第２レーザ光は、スリットを通過した後に光反射手段に入射する。スリットを通過した後の第２レーザ光は、スリットによって断面形状が制限されるので、第１レーザ光に対して干渉することが防止される。そのため、第１レーザ光と第２レーザ光との互いの干渉が防止されるので、光反射手段によって、第１レーザ光および第２レーザ光の主走査方向における相対位置を、精度よく一致させることができる。
【００１６】
また、請求項７に記載の発明は、請求項６に記載の発明において、前記光反射手段を位置決めするための位置決め手段を備え、前記スリット部材は、前記位置決め手段と一体的に形成されていることを特徴としている。
このような構成によると、スリット部材が位置決め手段と一体的に形成されているので、部品点数の低減化および構成の簡略化を図ることができる。
【００１７】
また、請求項８に記載の発明は、請求項１ないし７のいずれかに記載の発明において、前記ベース部材には、前記第１レンズ支持部と前記第２レンズ支持部との間に、副走査方向の段差部が設けられていることを特徴としている。
このような構成によると、第１レンズ支持部と第２レンズ支持部との間において副走査方向に設けられる段差部によって、第１レンズ支持部と第２レンズ支持部とを、副走査方向において互いに異なる位置に簡易に配置することができる。
【００１８】
また、請求項９に記載の発明は、請求項１ないし８のいずれかに記載の発明において、前記第１保持部材と、前記第２保持部材とは、互いに略直角方向に配置されていることを特徴としている。
このような構成によると、第１保持部材と第２保持部材とが、互いに略直角方向に配置されているので、第１保持部材の第１保持部に保持される第１レーザ発光部と、第２保持部材の第２保持部に保持される第２レーザ発光部とを、互いに略直角方向に配置して、光反射手段によって、第１レーザ光および第２レーザ光の主走査方向における相対位置を、精度よく一致させることができる。また、第１レーザ発光部および第２レーザ発光部の効率的なレイアウトを確保することができ、装置の小型化を図ることができる。
【００１９】
また、請求項１０に記載の発明は、請求項１ないし９のいずれかに記載の発明において、前記ベース部材は、前記第１ねじ挿通固定部および前記第２ねじ挿通固定部が支持される支持部材を備え、前記第１ねじ挿通固定部と前記第２ねじ挿通固定部とは、前記支持部材から互いに反対方向に折り曲げられることにより、形成されていることを特徴としている。
【００２０】
このような構成によると、第１ねじ挿通固定部と第２ねじ挿通固定部とが、支持部材から互いに反対方向に折り曲げられているので、簡易な折り曲げによって、第１ねじ挿通固定部と第２ねじ挿通固定部とを、それぞれ個別に配置することができる。
また、請求項１１に記載の発明は、請求項１ないし１０のいずれかに記載の発明において、前記第１保持部材、前記第２保持部材および前記ベース部材を１組の光学要素として、前記光学要素を複数備え、前記光偏向手段は、複数の偏向面を備えており、各前記光学要素から発光される前記第１レーザ光および前記第２レーザ光が、異なる前記光学要素毎に、前記光偏向手段の異なる偏向面に照射されることを特徴としている。
【００２１】
このような構成によると、複数の光学要素を、各光学要素から発光される第１レーザ光および第２レーザ光が、異なる光学要素毎に、光偏向手段の異なる偏向面に照射されるように配置するので、効率のよいレイアウトを確保して、装置の小型化を図ることができる。
また、請求項１２に記載の発明は、請求項１１に記載の発明において、前記光学要素を、２つ備えていることを特徴としている。
【００２２】
このような構成によると、光学要素を２つ備えているので、４つのレーザ発光部から発光される４つのレーザ光を、光偏向手段によってそれぞれ走査することができる。そのため、イエロー、マゼンタ、シアンおよびブラックのそれぞれに対応した静電潜像を形成して、カラー画像を形成するために、好適に用いることができる。
また、請求項１３に記載の発明は、請求項１２に記載の発明において、一方の前記光学要素から発光される前記第１レーザ光および前記第２レーザ光と、他方の前記光学要素から発光される前記第１レーザ光および前記第２レーザ光とが、前記光偏向手段に対して、平行して入射されるように、各前記光学要素が配置されていることを特徴としている。
【００２３】
このような構成によると、一方の第１レーザ光および第２レーザ光と、他方の第１レーザ光および第２レーザ光とが、光偏向手段に対して平行して入射されるように、各前記光学要素が配置されているので、各光学要素を光偏向手段に対してコンパクトに配置することができる。
また、請求項１４に記載の発明は、画像形成装置であって、請求項１ないし１３のいずれかに記載の光走査装置と、前記光偏向手段によって主走査方向に走査された第１レーザ光および第２レーザ光の各レーザ光に対してそれぞれ設けられ、各レーザ光がそれぞれ照射され、その照射により静電潜像がそれぞれ形成される複数の感光体とを備えていること特徴としている。
【００２４】
このような構成によると、光走査装置から出射された第１レーザ光および第２レーザ光によって、各感光体に静電潜像がそれぞれ形成される。そのため、精度のよい静電潜像を、各感光体に形成して、精度のよい多色画像の形成を達成することができる。
また、請求項１５に記載の発明は、画像形成装置であって、請求項１２または１３に記載の光走査装置と、前記光偏向手段によって主走査方向に走査された２組の第１レーザ光および第２レーザ光の各レーザ光に対してそれぞれ設けられ、各レーザ光がそれぞれ照射され、その照射により静電潜像がそれぞれ形成される４つの感光体とを備え、各前記感光体に形成された静電潜像が、互いに異なる色で現像されることを特徴としている。
【００２５】
このような構成によると、４つの感光体にそれぞれ形成された静電潜像が、互いに異なる色で現像される。そのため、各感光体に形成された現像剤像を、順次色重ねすれば、モノクロ画像とほぼ同じ速度でカラー画像を形成することができる。
【発明の効果】
【００２６】
請求項１に記載の発明によれば、第１レーザ発光部および第１レンズと、第２レーザ発光部および第２レンズとを、効率的に配置して、構成の簡略化およびコストの低減化を図ることができる。また、第１レーザ発光部および第１レンズとの間、第２レーザ発光部および第２レンズとの間の位置調整を容易に達成することができる。
請求項２に記載の発明によれば、部品点数の低減化および構成の簡略化を図ることができる。
【００２７】
請求項３に記載の発明によれば、構成の簡略化およびコストの低減化を図ることができる。
請求項４に記載の発明によれば、第１レンズに対する第１レーザ発光部、および、第２レンズに対する第２レーザ発光部の精度のよい位置調整を達成することができる。
請求項５に記載の発明によれば、第１レーザ発光部および第１レンズと、第２レーザ発光部および第２レンズとの効率的なレイアウトを確保することができ、装置の小型化を図ることができる。
【００２８】
請求項６に記載の発明によれば、第１レーザ光と第２レーザ光との互いの干渉が防止されるので、光反射手段によって、第１レーザ光および第２レーザ光の主走査方向における相対位置を、精度よく一致させることができる。
請求項７に記載の発明によれば、部品点数の低減化および構成の簡略化を図ることができる。
【００２９】
請求項８に記載の発明によれば、第１レンズ支持部と第２レンズ支持部とを、副走査方向において互いに異なる位置に簡易に配置することができる。
請求項９に記載の発明によれば、光反射手段によって、第１レーザ光および第２レーザ光の主走査方向における相対位置を、精度よく一致させることができる。また、第１レーザ発光部および第２レーザ発光部の効率的なレイアウトを確保することができ、装置の小型化を図ることができる。
【００３０】
請求項１０に記載の発明によれば、簡易な折り曲げによって、第１ねじ挿通固定部と第２ねじ挿通固定部とを、それぞれ個別に配置することができる。
請求項１１に記載の発明によれば、効率のよいレイアウトを確保して、装置の小型化を図ることができる。
請求項１２に記載の発明によれば、カラー画像を形成するために、好適に用いることができる。
【００３１】
請求項１３に記載の発明によれば、各光学要素を光偏向手段に対してコンパクトに配置することができる。
請求項１４に記載の発明によれば、精度のよい静電潜像を、各感光体に形成して、精度のよい多色画像の形成を達成することができる。
請求項１５に記載の発明によれば、各感光体に形成された現像剤像を、順次色重ねすれば、モノクロ画像とほぼ同じ速度でカラー画像を形成することができる。
【発明を実施するための最良の形態】
【００３２】
（カラーレーザプリンタの全体構成）
図１は、本発明の画像形成装置としてのカラーレーザプリンタの一実施形態を示す側断面図である。
このカラーレーザプリンタ１は、複数のプロセス部１３が水平方向において並列的に配置される、横置きタイプのタンデム型のカラーレーザプリンタであって、ボックス形状の本体ケーシング２内に、用紙３を給紙するための給紙部４、給紙された用紙３に画像を形成するための画像形成部５、画像が形成された用紙３を排紙するための排紙部６を備えている。
（給紙部の構成）
給紙部４は、本体ケーシング２内の底部に設けられる用紙カセット７と、その用紙カセット７の前側上方（以下の説明において、図１における右側を前側、左側を後側とする。）に設けられる給紙ローラ８と、給紙ローラ８の前側上方に設けられる給紙パス９と、給紙パス９の途中に設けられる１対の搬送ローラ１０と、給紙パス９の下流側端部に設けられる１対のレジストローラ１１とを備えている。
【００３３】
用紙カセット７内には、用紙３がスタックされており、その最上位にある用紙３は、給紙ローラ８の回転によって給紙パス９に送り出される。
給紙パス９は、上流側端部が、下方において給紙ローラ８に隣接し、用紙３が前方に向かって給紙されるように、また、下流側端部が、上方において後述する搬送ベルト８１に隣接し、用紙３が後方に向かって排紙されるような、略Ｕ字形状の用紙３の搬送経路として形成されている。
【００３４】
そして、給紙パス９に送り出された用紙３は、給紙パス９内において、搬送ローラ１０により搬送され、搬送方向が前後反転された後、レジストローラ１１によるレジスト後に、レジストローラ１１によって、後方に向かって給紙される。
（画像形成部の構成）
画像形成部５は、光走査装置としてのスキャナユニット１２、プロセス部１３、転写部１４および定着部１５を備えている。
（スキャナユニットの構成）
スキャナユニット１２は、本体ケーシング２内の上部において、後述する複数のプロセス部１３の上方にわたって配置されている。このスキャナユニット１２は、図２および図６に示すように、スキャナケーシング１６と、そのスキャナケーシング１６内に設けられる光偏向手段としてのポリゴンミラー１７、ポリゴンミラー１７にレーザ光を照射するためのレーザ照射光学部１８、ポリゴンミラー１７によって偏向および走査されたレーザ光を等速度の平行光束に変換するｆθレンズ１９、ｆθレンズ１９を通過したレーザ光を各色に対応するレーザ光として出射させるためのレーザ出射光学部２０とを備えている。
【００３５】
スキャナケーシング１６は、図６に示すように、ボックス形状をなし、その底壁６２には、各色に対応する出射窓２１が形成されている。各出射窓２１は、前後方向の異なる位置に互いに間隔を隔てて設けられており、前方から後方に向かって、各色に対応して、順次、イエロー出射窓２１Ｙ、マゼンタ出射窓２１Ｍ、シアン出射窓２１Ｃ、ブラック出射窓２１Ｋとして形成されている。
【００３６】
ポリゴンミラー１７は、スキャナケーシング１６内の前後方向中央部において、モータ基板２２上に、後述する２つの第１レーザ発光部２５ａおよび２つの第２レーザ発光部２５ｂに対して、１つ設けられている。このポリゴンミラー１７は、複数の偏向面を有する多面体（たとえば、６面体）に形成されており、その中心に設けられる回転軸２３を中心として、モータ基板２２内に収容されているスキャナモータの動力によって、高速で回転駆動される。
【００３７】
なお、モータ基板２２は、スキャナケーシング１６の底壁６２に、図示しないボスなどを介して固定されている。
レーザ照射光学部１８は、図２に示すように、ポリゴンミラー１７に対して、幅方向（カラーレーザプリンタ１の前後方向および上下方向と直交する方向であって、以下の説明においては、「幅方向」は、すべてレーザプリンタ１の幅方向をいう。）一方側に２つ設けられている。
【００３８】
各レーザ発光部１８は、光学要素としての位置調整フレーム２４と、その位置調整フレーム２４に保持される第１レーザ発光部２５ａおよび第２レーザ発光部２５ｂと、その位置調整フレーム２４に支持される第１レンズとしての第１コリメートレンズ２６ａおよび第２レンズとしての第２コリメートレンズ２６ｂと、スリット部材としてのスリット板２７と、光反射手段としての反射ミラー２８と、シリンドリカルレンズ２９とを、１組として備えている。
【００３９】
位置調整フレーム２４は、図４および図５に示すように、１枚の板金を折り曲げ加工することによって、形成されている。より具体的には、この位置調整フレーム２４は、第１レーザ発光部２４ａを保持する第１保持部材としての第１ホルダ板３０と、第２レーザ発光部２５ｂを保持する第２保持部材としての第２ホルダ板３１と、第１コリメートレンズ２６ａおよび第２コリメートレンズ２６ｂを支持するベース部材としてのベース板３２とを、連続して一体的に備えている。
【００４０】
ベース板３２は、スキャナケーシング１６の図示しないボスに固定される支持部材としての固定板３３と、第１コリメートレンズ２６ａを支持する支持板３４と、連結杆３９とを一体的に備えている。
固定板３３は、平面視略矩形の平板からなり、第２コリメートレンズ２６ｂを支持するための第２レンズ支持部としての第２レンズ溝３５と、固定板３３をスキャナケーシング１６の底壁６２に固定するための固定孔３６と、第１ねじ５２（図３参照）を固定するための第１ねじ挿通固定部としての第１ねじ固定板３７と、第２ねじ５７（図３参照）を固定するための第２ねじ挿通固定部としての第２ねじ固定板３８とが形成されている。
【００４１】
第２レンズ溝３５は、固定板３３の幅方向内側端部において、固定板３３を前後方向に沿って断面略Ｖ字状に折り曲げるようにして形成されている。
固定孔３６は、固定板３３の前後方向一方側端部において、互いに幅方向に間隔を隔てて２つ形成されている。各固定孔３６は、固定板３３の厚さ方向を貫通するように形成されている。
【００４２】
第１ねじ固定板３７は、上下方向に延びる略矩形の平板からなり、固定板３３の幅方向外側端縁において、固定板３３の端縁から略直角方向下方に折り曲げられることにより、形成されている。この第１ねじ固定板３７には、その中央部に、後述する第１ねじ５２が螺着される断面円形の第１螺着孔４２が、厚さ方向を貫通するように形成されている。
第２ねじ固定板３８は、上下方向に延びる略矩形の平板からなり、固定板３３の前後方向一方側端縁において、固定板３３の端縁から略直角方向上方に折り曲げられることにより、形成されている。この第２ねじ固定板３８には、その中央部に、後述する第２ねじ５７が螺着される断面円形の第２螺着孔４３が、厚さ方向を貫通するように形成されている。
【００４３】
これによって、第１ねじ固定板３７と第２ねじ固定板３８とは、平面視において、互いに略直角方向に配置され、かつ、固定板３３に対して、互いに反対方向に折り曲げられている。
支持板３４は、固定板３３に対して前後方向他方側に配置され、連結杆３９を介して固定板３３と連続するように設けられている。
【００４４】
支持板３４は、その幅方向外側端縁が、固定板３３の幅方向外側端縁と幅方向において面一となる平面視略矩形の平板からなり、第１コリメートレンズ２６ａを支持するための第１レンズ支持部としての第１レンズ溝４０が形成されている。
第１レンズ溝４０は、支持板３４の前後方向中央部において、支持板３４を幅方向に沿って断面略Ｖ字状に折り曲げるようにして形成されている。
【００４５】
連結杆３９は、幅方向において互いに間隔を隔てて上下方向に沿って２つ設けられている。各連結杆３９は、その上側端部が、固定板３４の前後方向他方側端部から略直角方向下方に向かって折り曲げられるように形成され、その下側端部が、支持板３４の前後方向一方側端部から略直角方向上方に向かって折り曲げられるように形成されている。
これによって、支持板３４と固定板３３との間には、支持板３４が上方、固定板３３が下方に配置される段差部４１が形成されている。
【００４６】
第１ホルダ板３０は、略直角方向において互いに連続する第１短板４４と第１保持部および第１ねじ挿通部としての第１長板４５とを一体的に備える平面視略Ｌ字状の平板からなり、第１短板４４の下端縁と支持板３４の前後方向他方側端縁とが連続するように、第１短板４４が、支持板３４の前後方向他方側端縁において、支持板３４の端縁から略直角方向上方に折り曲げられようにして、形成されている。
【００４７】
また、第１長板４５は、その前後方向遊端部が、第１ねじ固定板３７と幅方向に間隔を隔てて対向配置されるように、第１短板４４の幅方向外側端縁から、前後方向一方側に向かって略直角方向に折り曲げられるようにして、形成されている。これによって、第１長板４５の前後方向途中が、第１レンズ溝４０と幅方向に間隔を隔てて対向配置される。
この第１長板４５には、幅方向において第１レンズ溝４０と対向する位置に、第１レーザ発光部２５ａが保持される断面円形の第１保持孔４６が、厚さ方向を貫通するように形成されている。また、この第１長板４５には、幅方向において第１螺着孔４２と対向する位置に、後述する第１ねじ５２が挿通される断面円形の第１挿通孔４７が、厚さ方向を貫通するように形成されている。
【００４８】
第２ホルダ板３１は、略直角方向において互いに連続する第２短板４８と第２保持部および第２ねじ挿通部としての第２長板４９とを一体的に備える平面視略Ｌ字状の平板からなり、第２短板４８の下端縁と固定板３３の幅方向内側端縁とが連続するように、第２短板４８が、固定板３３の幅方向内側端縁において、固定板３３の端縁から略直角方向上方に折り曲げられようにして、形成されている。
【００４９】
また、第２長板４９は、その幅方向遊端部が、第２ねじ固定板３８と前後方向に間隔を隔てて対向配置されるように、第２短板４８の前後方向一方側端縁から、幅方向外側に向かって略直角方向に折り曲げられるようにして、形成されている。これによって、第２長板４９の幅方向途中が、第２レンズ溝３５と前後方向に間隔を隔てて対向配置される。
この第２長板４９には、前後方向において第２レンズ溝３５と対向する位置に、第２レーザ発光部２５ｂが保持される断面円形の第２保持孔５０が、厚さ方向を貫通するように形成されている。また、この第２長板４９には、前後方向において第２螺着孔４３と対向する位置に、後述する第２ねじ５７が挿通される断面円形の第２挿通孔５１が、厚さ方向を貫通するように形成されている。
【００５０】
これによって、第１ホルダ板３０の第１長板４５と、第２ホルダ板３１の第２長板４９とは、平面視において、互いに略直角方向に配置されている。
第１レーザ発光部２５ａは、図３に示すように、半導体レーザなどからなり、第１レーザ光を幅方向内側に向けて出射できるように、第１保持孔４６に装着されている。
第２レーザ発光部２５ｂは、半導体レーザなどからなり、第２レーザ光を前後方向他方側に向けて出射できるように、第２保持孔５０に装着されている。
【００５１】
第１コリメートレンズ２６ａは、図２に示すように、第１レーザ発光部２５ａに対して幅方向において間隔を隔てて、第１レンズ溝４０に設置されている。これによって、第１レーザ発光部２５ａと第１コリメートレンズ２６ａとは、幅方向において間隔を隔てて対向配置される。
第２コリメートレンズ２６ｂは、第１レーザ発光部２５ｂに対して前後方向において間隔を隔てて、第２レンズ溝３５に設置されている。これによって、第２レーザ発光部２５ｂと第２コリメートレンズ２６ｂとは、前後方向において間隔を隔てて対向配置される。
【００５２】
そして、第１レーザ発光部２５ａと第１コリメートレンズ２６ａとは、それらの間の相対位置が、次のように調整されている。
すなわち、図５に示すように、まず、第１ねじ５２を、第１挿通孔４７に幅方向外側から挿通した後、次いで、第１螺着孔４２に螺着させる。その後、第１ねじ５２を第１螺着孔４２に対して螺進または螺退させる。なお、第１ねじ５２は、頭部が第１挿通孔４７よりも大径に形成されている。
【００５３】
第１ねじ５２を第１螺着孔４２に対して螺進させれば、第１長板４５は、第１短板４４との連結部（第１ホルダ板３０の屈曲部）を支点として、その反対側の遊端部が幅方向内側に向かって撓み、第１ねじ固定板３７に近接する。そうすると、第１長板４５に装着されている第１レーザ発光部２５ａが、第１レンズ溝４０に設置されている第１コリメートレンズ２６ａに近接し、これら第１レーザ発光部２５ａと第１コリメートレンズ２６ａとの間の相対距離が短くなる。
【００５４】
一方、第１ねじ５２を第１螺着孔４２に対して螺退させれば、第１長板４５は、第１短板４４との連結部を支点として、その遊端部が幅方向外側に向かって撓み、第１ねじ固定板３７から離間する。そうすると、第１長板４５に装着されている第１レーザ発光部２５ａが、第１レンズ溝４０に設置されている第１コリメートレンズ２６ａから離間し、これら第１レーザ発光部２５ａと第１コリメートレンズ２６ａとの間の相対距離が長くなる。
【００５５】
そして、このような第１ねじ５２の第１螺着孔４２に対する螺進または螺退によって、第１レーザ発光部２５ａと第１コリメートレンズ２６ａとの相対距離を調整することによって、第１レーザ発光部２５ａと第１コリメートレンズ２６ａと間の相対位置が調整される。
また、第２レーザ発光部２５ｂと第２コリメートレンズ２６ｂとは、それらの間の相対位置が、次のように調整されている。
【００５６】
すなわち、まず、第２ねじ５７を、第２挿通孔５１に前後方向一方側から挿通した後、次いで、第２螺着孔４３に螺着させる。その後、第２ねじ５７を第２螺着孔４３に対して螺進または螺退させる。なお、第２ねじ５７は、頭部が第２挿通孔４３よりも大径に形成されている。
第２ねじ５７を第２螺着孔４３に対して螺進させれば、第２長板４９は、第２短板４８との連結部（第２ホルダ板３１の屈曲部）を支点として、その反対側の遊端部が前後方向他方側に向かって撓み、第２ねじ固定板３８に近接する。そうすると、第２長板４９に装着されている第２レーザ発光部２５ｂが、第２レンズ溝３５に設置されている第２コリメートレンズ２６ｂに近接し、これら第２レーザ発光部２５ｂと第２コリメートレンズ２６ｂとの間の相対距離が短くなる。
【００５７】
一方、第２ねじ５７を第２螺着孔４３に対して螺退させれば、第２長板４９は、第２短板４８との連結部を支点として、その遊端部が前後方向一方側に向かって撓み、第２ねじ固定板３８から離間する。そうすると、第２長板４９に装着されている第２レーザ発光部２５ｂが、第２レンズ溝３５に設置されている第２コリメートレンズ２６ｂから離間し、これら第２レーザ発光部２５ｂと第２コリメートレンズ２６ｂとの間の相対距離が長くなる。
【００５８】
そして、このような第２ねじ５７の第２螺着孔４３に対する螺進または螺退によって、第２レーザ発光部２５ｂと第２コリメートレンズ２６ｂとの相対距離を調整することによって、第２レーザ発光部２５ｂと第２コリメートレンズ２６ｂと間の相対位置が調整される。
そして、このように、第１レーザ発光部２５ａおよび第２レーザ発光部２５ｂと、第１コリメートレンズ２６ａおよび第２コリメートレンズ２６ｂとが設けられた位置調整フレーム２４は、図２に示すように、ポリゴンミラー１７に対して、幅方向一方側において、互いに隣り合うように２つ配置されている。各位置調整フレーム２４は、一方の位置調整フレーム２４の第１レーザ発光部２５ａおよび第２レーザ発光部２５ｂからそれぞれ発光される第１レーザ光および第２レーザ光からなる一方の１組のレーザ光と、他方の位置調整フレーム２４の第１レーザ発光部２５ａおよび第２レーザ発光部２５ｂからそれぞれ発光される第１レーザ光および第２レーザ光からなる他方の１組のレーザ光とにおいて、一方の１組のレーザ光と、他方の１組のレーザ光とが、ポリゴンミラー１７に対して、後述するように、反射ミラー２８およびシリンドリカルレンズ２９を通過した後に、平行して入射されるように、配置されている。
【００５９】
より具体的には、２つの位置調整フレーム２４は、図３に示すように、各支持板３４が前後方向において互いに突き合わされて、各第１短板４４が前後方向に対向配置するように、前後方向に沿って隣接配置されている。
また、このように配置される各位置調整フレーム２４においては、第１保持孔４６に保持される第１レーザ発光部２５ａおよび第１レンズ溝４０に設置される第１コリメートレンズ２６ａが、第２保持孔５０に保持される第２レーザ発光部２５ｂおよび第２レンズ溝３５に設置される第２コリメートレンズ２６ｂに対して、副走査方向Ｙ（上下方向に相当）において異なる位置に配置される。つまり、上下方向において、第１レーザ発光部２５ａおよび第１コリメートレンズ２６ａが下側、第２レーザ発光部２５ｂおよび第２コリメートレンズ２６ｂが上側に配置される。
【００６０】
なお、各位置調整フレーム２４は、各固定孔３６に挿通される固定ボルト９７によって、スキャナケーシング１６の底壁６２に固定されている。
スリット板２７は、２つのレーザ照射光学部１８に跨って、スキャナケーシング１６の底壁６２に設置されている。すなわち、このスリット板２７は、前後方向において間隔を隔てて対向配置される２つの側板５３と、各側板５３の幅方向外側端部を連結する主板５４とを一体的に備える平面視略コ字状の平板から形成されている。このスリット板２７には、主板５４に前後方向に互いに間隔を隔てて開口される第１スリット孔５５と、各側板５３にそれぞれ開口される第２スリット孔５６とが、形成されている。
【００６１】
各第１スリット孔５５および各第２スリット孔５６は、主走査方向Ｘに延びる長孔形状に形成されており、副走査方向Ｙにおいて、各第１レーザ発光部２５ａおよび各第２レーザ発光部２５ｂに対応する間隔で、互いに間隔を隔てて配置されている。
そして、スリット板２７は、一方の側板５３に開口される第２スリット孔５６が、一方の位置調整フレーム２４の第２レンズ溝３５に前後方向において対向し、他方の側板５３に開口される第２スリット孔５６が、他方の位置調整フレーム２４の第２レンズ溝３５に前後方向において対向し、主板５４に開口される一方の第１スリット孔５５が、一方の位置調整フレーム２４の第１レンズ溝４０に幅方向において対向し、主板５４に開口される他方の第１スリット孔５５が、他方の位置調整フレーム２４の第１レンズ溝４０に幅方向において対向するように、２つの位置調整フレーム２４の間に配置されている。
【００６２】
より具体的には、スリット板２７は、２つの位置調整フレーム２４の各支持板３４の幅方向内側であって、かつ、各固定板３３に前後方向において挟まれるように、配置されている。
また、このスリット板２７には、各側板５３の幅方向内側に、各側板５３の対向方向内側に延びる取付板６１が、各側板５３の下端縁から略直角方向に屈曲するように、一体的に形成されている。各取付板６１は、略矩形の平板からなり、その中央部には、図示しない取付孔が開口されている。スリット板２７は、各取付板６１の取付孔に固定ねじ９６が挿通され、その挿通された固定ねじ９６が底壁６２に螺着されることにより、スキャナケーシング１６の底壁６２に固定されている。
【００６３】
また、スリット板２７には、各反射ミラー２８を位置決めして保持するための位置決め手段としてのミラー位置決め部材５８が、一体的に形成されている。
このミラー位置決め部材５８は、スリット板２７の主板５４の上端縁から幅方向内側に延びるように、その上端縁から略直角方向に屈曲するように形成される天板６０と、その天板６０の幅方向内側端縁から、略直角方向下方に屈曲するように形成される保持板５９とを一体的に備えている。
【００６４】
天板６０は、平面視略二等辺三角形状の平板からなり、保持板５９は、押さえ板ばねからなり、天板６０から連続して複数形成されている。すなわち、保持板５９は、天板６０の各斜辺において、斜辺の中央部から斜辺に直交する方向に延びる中央の保持板５９と、斜辺の両端部から略直角方向下方に屈曲するように延びる両端の保持板５９とを備えている。
【００６５】
なお、天板６０には、図示しない取付孔が開口されており、ミラー位置決め部材５８は、天板６０の取付孔に固定ねじ９６が挿通され、その挿通された固定ねじ９６が底壁６２から立設する図示しないボスに螺着されることにより、スキャナケーシング１６の底壁６２に固定されている。
反射ミラー２８は、２つのレーザ照射光学部１８にそれぞれ設けられている。各反射ミラー２８は、ハーフミラーからなり、スリット板２７の内側に配置されている。より具体的には、一方の反射ミラー２８は、一方の側板５３および主板５４に対して、略４５°に傾斜するように配置されている。また、他方の反射ミラー２８は、他方の側板５３および主板５４に対して、略４５°に傾斜するように配置されている。これによって、２つの反射ミラー２８は、互いに直交する平面視略Ｌ字状に配置される。
【００６６】
また、各反射ミラー２８は、スリット板２７と一体的に形成されているミラー位置決め部材５８の保持部５９に位置決めされ、保持されている。より具体的には、各反射ミラー２８は、天板６０の各斜辺に設けられる中央の保持板５９と、その両端の保持板５９とで保持され、位置決めされている。
シリンドリカルレンズ２９は、２つのレーザ照射光学部１８にそれぞれ設けられている。各シリンドリカルレンズ２９は、副走査方向Ｙにのみ屈折力を有しており、各反射ミラー２８の幅方向内側において、各反射ミラー２８と幅方向に間隔を隔てて対向配置され、スキャナケーシング１６の底壁６２に設置されている。なお、各シリンドリカルレンズ２９は、前後方向に沿って重なるように配置されている。
【００６７】
そして、各レーザ照射光学部１８では、図３に示すように、第１レーザ発光部２５ａおよび第２レーザ発光部２５ｂからそれぞれ発光された第１レーザ光および第２レーザ光は、それぞれ第１コリメートレンズ２６ａおよび第２コリメートレンズ２６ｂを通過する。このとき、第１レーザ光および第２レーザ光は、第１コリメートレンズ２６ａおよび第２コリメートレンズ２６ｂによって、それぞれ、主走査方向Ｘおよび副走査方向Ｙへの平行光束となるように変換される。
【００６８】
次いで、第１コリメートレンズ２６ａおよび第２コリメートレンズ２６ｂを通過した第１レーザ光および第２レーザ光は、スリット板２７の第１スリット孔５５および第２スリット孔５６をそれぞれ通過する。このとき、第１レーザ光および第２レーザ光は、第１スリット孔５５および第２スリット孔５６によって、第１レーザ光および第２レーザ光の光路に直交する断面形状が制限され、第１レーザ発光部２５ａおよび第２レーザ発光部２５ｂからそれぞれ発光される第１レーザ光および第２レーザ光の迷光が防止される。
【００６９】
次いで、第１スリット孔５５および第２スリット５６をそれぞれ通過した第１レーザ光および第２レーザ光は、互いに副走査方向Ｙに間隔を保持しつつ、反射ミラー２８に入射する。第１レーザ光は、反射ミラー２８の下側に入射して、反射ミラー２８をそのまま直線的に通過する。第２レーザ光は、反射ミラー２８の上側に入射して、略９０°反射して略直角に屈折する。これによって、第１レーザ光および第２レーザ光の光路が、主走査方向Ｘにおける相対位置が一致するように、合成される。
【００７０】
その後、反射ミラー２８によって、主走査方向Ｘにおける相対位置が一致するように合成された第１レーザ光および第２レーザ光は、互いに副走査方向Ｙに間隔を保持しつつ、シリンドリカルレンズ２９を通過する。シリンドリカルレンズ２９を通過した第１レーザ光および第２レーザ光は、その後、ポリゴンミラー１７に異なる角度から入射されるように、副走査方向Ｘに収束するように屈折される。
【００７１】
そして、一方のレーザ照射光学部１８から出射された一方の１組のレーザ光と、他方のレーザ照射光学部１８から出射された他方の１組のレーザ光とは、互いに前後方向に間隔を保持しつつ、ポリゴンミラー１７に対して、平行して入射され、高速回転するポリゴンミラー１７の異なる偏向面にそれぞれ入射される。
これによって、ポリゴンミラー１７には、第１レーザ光および第２レーザ光を１組のレーザ光として、２組のレーザ光が、それぞれ互いに異なる偏向面に入射される。また、１組のレーザ光において、第１レーザ光および第２レーザ光が異なる角度で同一の偏向面に入射される。
【００７２】
ポリゴンミラー１７では、ポリゴンミラー１７の高速回転によって、２組のレーザ光を、それぞれ偏向し、主走査方向Ｘに走査する。各組における第１レーザ光および第２レーザ光は、ポリゴンミラー１７の偏向面に対してそれぞれ異なる角度で入射するため、偏向面からは、次第に副走査方向Ｙ（上下方向）において互いに離間する角度で反射される（図６参照）。
【００７３】
ｆθレンズ１９は、２組のレーザ光に対応するように、各組のレーザ光がポリゴンミラー１７に対して入射する方向と直交する方向において、ポリゴンミラー１７を挟んで互いに対向するように２つ設けられている。
各ｆθレンズ１９は、各レーザ照射光学部１８からポリゴンミラー１７に入射し、ポリゴンミラー１７によって主走査方向Ｘに走査される第１レーザ光および第２レーザ光を、等速度となる平行光束に変換する。
【００７４】
レーザ出射光学部２０は、図６に示すように、各色に対応して、それぞれ設けられている。すなわち、レーザ出射光学部２０は、各色に対応して、イエロー光学部２０Ｙ、マゼンタ光学部２０Ｍ、シアン光学部２０Ｃおよびブラック光学部２０Ｋの４つからなる。
イエロー光学部２０Ｙは、前後方向最前方に配置され、一方のｆθレンズ１９の上側を通過した第１レーザ光を反射させる２つの反射鏡６３ａおよび６３ｂと、反射鏡６３ａおよび６３ｂで反射された第１レーザ光を通過させるシリンドリカルレンズ６４とを備えている。
【００７５】
一方のｆθレンズ１９の上側を通過した第１レーザ光は、イエロー光学部２０Ｙにおいて、まず、反射鏡６３ａにおいて斜め後側上方に反射し、次いで、反射鏡６３ｂにおいて略鉛直方向下方に反射した後、シリンドリカルレンズ６４を略鉛直方向において通過し、そして、イエロー出射窓２１Ｙから出射される。
マゼンタ光学部２０Ｍは、ポリゴンミラー１７とイエロー光学部２０Ｙとの間に配置され、一方のｆθレンズ１９の下側を通過した第２レーザ光を反射させる３つの反射鏡６５ａ、６５ｂおよび６５ｃと、反射鏡６５ａ、６５ｂおよび６５ｃで反射された第２レーザ光を通過させるシリンドリカルレンズ６６とを備えている。
【００７６】
一方のｆθレンズ１９の下側を通過した第２レーザ光は、マゼンタ光学部２０Ｍにおいて、まず、反射鏡６５ａにおいて上方に反射し、次いで、反射鏡６５ｂにおいて後方に反射し、その後、反射鏡６５ｃにおいて略鉛直方向下方に反射した後、シリンドリカルレンズ６６を略鉛直方向において通過し、そして、マゼンタ出射窓２１Ｍから出射される。
シアン光学部２０Ｃは、ポリゴンミラー１７とブラック光学部２０Ｋとの間に配置され、他方のｆθレンズ１９の上側を通過した第１レーザ光を反射させる３つの反射鏡６７ａ、６７ｂおよび６７ｃと、反射鏡６７ａ、６７ｂおよび６７ｃで反射された第１レーザ光を通過させるシリンドリカルレンズ６８とを備えている。
【００７７】
他方のｆθレンズ１９の上側を通過した第１レーザ光は、シアン光学部２０Ｃにおいて、まず、反射鏡６７ａにおいて上方に反射し、次いで、反射鏡６７ｂにおいて前方に反射し、その後、反射鏡６７ｃにおいて略鉛直方向下方に反射した後、シリンドリカルレンズ６８を略鉛直方向において通過し、そして、シアン出射窓２１Ｃから出射される。
ブラック光学部２０Ｋは、前後方向最後方に配置され、他方のｆθレンズ１９の下側を通過した第２レーザ光を反射させる２つの反射鏡６９ａおよび６９ｂと、反射鏡６９ａおよび６９ｂで反射された第２レーザ光を通過させるシリンドリカルレンズ７０とを備えている。
【００７８】
他方のｆθレンズ１９の下側を通過した第２レーザ光は、シアン光学部２０Ｃの反射鏡６９ａを通過した後、ブラック光学部２０Ｋにおいて、まず、反射鏡６９ａにおいて斜め前側上方に反射し、次いで、反射鏡６９ｂにおいて略鉛直方向下方に反射した後、シリンドリカルレンズ７０を略鉛直方向において通過し、そして、ブラック出射窓２１Ｋから出射される。
【００７９】
なお、マゼンタ光学部２０Ｍとシアン光学部２０Ｃとは、ポリゴンミラー１７に対して対称に配置されており、イエロー光学部２０Ｙとブラック光学部２０Ｋとは、マゼンタ光学部２０Ｍとシアン光学部２０Ｃの外側において、ポリゴンミラー１７に対して対称に配置されている。
（プロセス部の構成）
プロセス部１３は、図１に示すように、複数色のトナーに対応して複数設けられている。すなわち、プロセス部１３は、イエロープロセス部１３Ｙ、マゼンタプロセス部１３Ｍ、シアンプロセス部１３Ｃおよびブラックプロセス部１３Ｋの４つからなる。これらプロセス部１３は、前方から後方に向かって互いに間隔を隔てて、水平方向において重なるように、順次、並列配置されている。
【００８０】
各プロセス部１３は、感光体としての感光ドラム７１、スコロトロン型帯電器７２および現像カートリッジ７３を備えている。
感光ドラム７１は、円筒形状をなし、最表層がポリカーボネートなどからなる正帯電性の感光層により形成されるドラム本体と、このドラム本体の軸心において、ドラム本体の軸方向に沿って延びるドラム軸とを備えている。ドラム本体は、ドラム軸に対して回転自在に設けられ、ドラム軸は、プロセス部１３の幅方向両側壁に回転不能に支持されている。そして、感光ドラム７１は、画像形成時において、後述する搬送ベルト８１との接触位置における搬送ベルト８１の移動方向と同方向（図中時計回り）に回転駆動される。
【００８１】
スコロトロン型帯電器７２は、ワイヤおよびグリッドを備え、帯電バイアスの印加により、コロナ放電を発生させる正帯電型のスコロトロン型帯電器であり、感光ドラム７１の後方において、感光ドラム７１と接触しないように間隔を隔てて対向配置されている。
現像カートリッジ７３は、その筐体内に、現像ローラ７６、供給ローラ７７および層厚規制ブレード７８を備えている。
【００８２】
現像ローラ７６は、感光ドラム７１の前方において感光ドラム７１と対向配置されている。この現像ローラ７６は、金属製のローラ軸に、導電性のゴム材料などの弾性部材からなるローラ部分が被覆されている。より具体的には、ローラ部分は、カーボン微粒子などを含む導電性のウレタンゴム、シリコーンゴムまたはＥＰＤＭゴムなどからなる弾性体のローラ層と、そのローラ層の表面に被覆され、ウレタンゴム、ウレタン樹脂、ポリイミド樹脂などが主成分とされるコート層との２層構造によって形成されている。また、現像ローラ７６のローラ軸は、現像カートリッジ７３の筐体の幅方向両側壁に回転自在に支持されており、画像形成時には、現像バイアスが印加される。
【００８３】
供給ローラ７７は、現像ローラ７６の前方において現像ローラ７６と対向配置され、現像ローラ７６と圧接されている。この供給ローラ７７は、金属製のローラ軸に、導電性のスポンジ部材からなるローラ部分が被覆されている。また、供給ローラ７７のローラ軸は、現像カートリッジ７３の筐体の幅方向両側壁に回転自在に支持されている。
層厚規制ブレード７８は、金属の板ばね材からなり、その先端部に、絶縁性のシリコーンゴムからなる断面半円形状の押圧部材を備えている。そして、層厚規制ブレード７８は、現像ローラ７６の上方において現像カートリッジ７３の筐体に支持され、その先端部（下端部）の押圧部材が、現像ローラ７６に対して前側上方から圧接されている。
【００８４】
また、現像カートリッジ７３の筐体の上側部分は、トナーを収容するトナー収容室７５として形成されており、各色のトナーが収容されている。すなわち、イエロープロセス部１３Ｙのトナー収容室７５内には、イエローの色を有する正帯電性の非磁性１成分の重合トナーが収容されている。マゼンタプロセス部１３Ｍのトナー収容室７５内には、マゼンタの色を有する正帯電性の非磁性１成分の重合トナーが収容されている。シアンプロセス部１３Ｃのトナー収容室７５内には、シアンの色を有する正帯電性の非磁性１成分の重合トナーが収容されている。ブラックプロセス部１３Ｋのトナー収容室７５内には、ブラックの色を有する正帯電性の非磁性１成分の重合トナーが収容されている。
【００８５】
より具体的には、各色のトナーは、重合法により得られた略球形の重合トナーが用いられている。重合トナーは、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる結着樹脂を主成分とし、これに、着色剤、荷電制御剤、ワックスなどが配合されることによりトナー母粒子が形成され、さらにこれに、流動性の向上を図るべく外添剤が添加されてなるものである。
【００８６】
着色剤としては、上記した、イエロー、マゼンタ、シアンおよびブラックの各着色剤が配合されている。また、荷電制御剤としては、たとえば、アンモニウム塩などのイオン性官能基を有するイオン性単量体と、スチレン系単量体やアクリル系単量体などのイオン性単量体と共重合可能な単量体との共重合によって得られる荷電制御樹脂が配合されている。また、外添剤としては、たとえば、シリカ、酸化アルミニウム、酸化チタン、チタン酸ストロンチウム、酸化セリウム、酸化マグネシウムなどの金属酸化物の粉末や、炭化物の粉末、金属塩の粉末などの無機粉末が配合されている。
【００８７】
そして、各プロセス部１３では、画像形成時には、各トナー収容室７５に収容されている各色のトナーが、供給ローラ７７に供給され、この供給ローラ７７の回転により現像ローラ７６に供給される。このとき、トナーは、供給ローラ７７と、現像バイアスが印加されている現像ローラ７６との間で正に摩擦帯電される。現像ローラ７６上に供給されたトナーは、現像ローラ７６の回転に伴って、層厚規制ブレード７８と現像ローラ７６との間に進入し、一定厚さの薄層となって、現像ローラ７６上に担持される。
【００８８】
一方、スコロトロン型帯電器７２は、帯電バイアスの印加により、コロナ放電を発生させて、感光ドラム７１の表面を一様に正帯電させている。感光ドラム７１の表面は、感光ドラム７１の回転に伴なって、スコロトロン型帯電器７２により一様に正帯電された後、スキャナユニット１２の各出射窓２１から出射されたレーザ光（第１レーザ光または第２レーザ光）の高速走査により露光され、用紙３に形成すべき画像に対応した各色の静電潜像が形成される。
【００８９】
さらに感光ドラム７１が回転すると、次いで、現像ローラ７６の表面に担持されかつ正帯電されているトナーが、現像ローラ７６の回転により、感光ドラム７１に対向して接触するときに、感光ドラム７１の表面に形成されている静電潜像、すなわち、一様に正帯電されている感光ドラム７１の表面のうち、レーザ光によって露光され電位が下がっている露光部分に供給される。これにより、感光ドラム７１の静電潜像は、可視像化され、感光ドラム７１の表面には、各色に対応して、反転現像によるトナー像が担持される。
（転写部の構成）
転写部１４は、本体ケーシング２内において、用紙カセット７の上方であって、プロセス部１３の下方において、前後方向に沿って配置されている。この転写部１４は、駆動ローラ７９、従動ローラ８０、搬送ベルト８１、転写ローラ８２およびベルトクリーニング部８３を備えている。
【００９０】
駆動ローラ７９は、ブラックプロセス部１３Ｋの感光ドラム７１よりも後方下側に配置されている。この駆動ローラ７９は、画像形成時において、感光ドラム７１の回転方向と逆方向（図中反時計回り）に回転駆動される。
従動ローラ８０は、イエロープロセス部１３Ｙの感光ドラム７１よりも前方下側であって、駆動ローラ７９と前後方向において対向するように配置されている。この従動ローラ８０は、駆動ローラ７９の回転駆動時に、駆動ローラ７９の回転方向と同方向（図中反時計回り）に従動回転する。
【００９１】
搬送ベルト８１は、エンドレスベルトからなり、カーボンなどの導電性粒子を分散した導電性のポリカーボネートやポリイミドなどの樹脂によって形成されている。この搬送ベルト８１は、駆動ローラ７９と従動ローラ８０との間に巻回されており、その巻回されている外側の接触面が、各プロセス部１３の感光ドラム７１のすべてと対向接触するように、配置されている。
【００９２】
そして、駆動ローラ７９の駆動により、従動ローラ８０が従動され、搬送ベルト８１が、これら駆動ローラ７９および従動ローラ８０の間を、各プロセス部１３の感光ドラム７１と対向接触する接触面において、感光ドラム７１と同方向に回転するように、矢印Ａで示す方向（図中反時計回り）に周回移動される。
転写ローラ８２は、駆動ローラ７９および従動ローラ８０の間に巻回されている搬送ベルト８１内において、各プロセス部１３の感光ドラム７１と搬送ベルト８１を挟んで対向配置されている。各転写ローラ８２は、金属製のローラ軸に、導電性のゴム材料などの弾性部材からなるローラ部分が被覆されている。そして、転写ローラ８２のローラ軸は、幅方向に沿って延び、回転自在に支持されており、転写時には転写バイアスが印加される。各転写ローラ８２は、搬送ベルト８１と対向接触する接触面において、搬送ベルト８１の周回移動方向と同方向（図中反時計回り）に回転する。
【００９３】
そして、給紙部４から給紙された用紙３は、駆動ローラ７９の駆動および従動ローラ８０の従動により周回移動される搬送ベルト８１によって、前方から後方に向かって、搬送ベルト８１と各プロセス部１３の感光ドラム７１との間の画像形成位置を、順次通過するように搬送される。そして、その搬送中に、各プロセス部１３の感光ドラム７１に担持されている各色に対応したトナー像が順次転写され、これによって、用紙３にカラー画像が形成される。
【００９４】
すなわち、たとえば、イエロープロセス部１３Ｙの感光ドラム７１の表面に担持されたイエローのトナー像が、用紙３に転写されると、次いで、マゼンタプロセス部１３Ｍの感光ドラム７１の表面に担持されたマゼンタのトナー像が、既にイエローのトナー像が転写されている用紙３に重ねて転写され、同様の動作によって、シアンプロセス部１３Ｃの感光ドラム７１の表面に担持されたシアンのトナー像、ブラックプロセス部１３Ｋの感光ドラム７１の表面に担持されたブラックのトナー像が重ねて転写され、これによって、用紙３にカラー画像が形成される。
【００９５】
このようなカラー画像の形成において、このカラーレーザプリンタ１は、各プロセス部１３において、プロセス部１３が各色に対応して複数設けられているタンデム型の装置構成であるため、モノクロ画像を形成する速度とほぼ同じ速度で、各色に対応したトナー像を形成して、迅速なカラー画像の形成を達成することができる。そのため、小型化を図りつつ、カラー画像を形成することができる。
【００９６】
ベルトクリーニング部８３は、搬送ベルト８１の下方であって、ブラックプロセス部１３Ｋと搬送ベルト８１を挟んで対向配置されている。
このベルトクリーニング部８３は、搬送ベルト８１の表面に接触するように配置され、その搬送ベルト８１の表面に付着した紙粉やトナーなどを掻き取るための１次クリーニングローラ８４と、その１次クリーニングローラ８４と接触するように配置され、１次クリーニングローラ８４によって掻き取られた紙粉やトナーなどを電気的に回収する２次クリーニングローラ８５と、２次クリーニングローラ８５に接触し、２次クリーニングローラ８５に回収された紙粉やトナーなどを掻き取る掻取ブレード８６と、掻取ブレード８６によって掻き取られた紙粉やトナーなどを貯留するクリーニングボックス８７とを備えている。
【００９７】
このベルトクリーニング部８３では、搬送ベルト８１の表面に付着した紙粉やトナーなどが、まず、１次クリーニングローラ８４によって掻き取られた後、１次クリーニングローラ８４によって掻き取られた紙粉やトナーなどが、２次クリーニングローラ８５によって電気的に回収される。その後、２次クリーニングローラ８５に回収された紙粉やトナーなどが、掻取ブレード８６によって掻き取られた後、クリーニングボックス８７内に貯留される。
（定着部の構成）
定着部１５は、転写部１４の後方に配置されている。この定着部１５は、加熱ローラ８８、加圧ローラ８９および搬送ローラ９０を備えている。加熱ローラ８８は、その表面に離型層が形成される金属素管からなり、その軸方向に沿ってハロゲンランプが内装されている。そして、ハロゲンランプにより、加熱ローラ８８の表面が定着温度に加熱される。また、加圧ローラ８９は、加熱ローラ８８を押圧するように設けられている。また、搬送ローラ９０は、上下１対のローラからなり、加熱ローラ８８および加圧ローラ８９の後方に配置されている。
【００９８】
そして、用紙３上に転写されたカラー画像は、次いで、定着部１５に搬送され、用紙３が加熱ローラ８８と加圧ローラ８９との間を通過する間に、加熱および加圧されることによって用紙３に熱定着される。熱定着された用紙３は、搬送ローラ９０によって排紙部６に送られる。
（排紙部の構成）
排紙部６は、排紙パス９１、排紙ローラ９２および排紙トレイ９３を備えている。
【００９９】
排紙パス９１は、上流側端部が、下方において搬送ローラ９０に隣接し、用紙３が後方に向かって搬送されるように、また、下流側端部が、上方において排紙ローラ９２に隣接し、用紙３が前方に向かって排紙されるような、略Ｕ字形状の用紙３の搬送経路として形成されている。排紙ローラ９２は、排紙パス９１の下流側端部に、１対のローラとして設けられている。排紙トレイ９３は、本体ケーシング２の上面に、前方から後方に向かって下方に傾斜する傾斜壁として形成されている。
【０１００】
そして、搬送ローラ９０から送られた用紙３は、排紙パス９１内において、搬送方向が前後反転された後、排紙ローラ９２によって、前方に向かって排紙される。排紙された用紙３は、排紙トレイ９３上に載置される。
（スキャナユニットの説明）
このようなカラーレーザプリンタ１において、スキャナユニット１２では、各位置調整フレーム２４において、第１レーザ発光部２５ａを第１ホルダ板３０に保持させ、第２レーザ発光部２５ｂを第２ホルダ板３１に保持させて、第１コリメートレンズ２６ａおよび第２コリメートレンズ２６ｂを、ベース板３２にそれぞれ支持させることにより、これら第１レーザ発光部２５ａおよび第１コリメートレンズ２６ａと、第２レーザ発光部２５ｂおよび第２コリメートレンズ２６ｂとを、効率的に配置して、構成の簡略化およびコストの低減化を図ることができる。
【０１０１】
しかも、第１ねじ５２を、第１長板４５の第１挿通孔４７に挿通した後、第１ねじ固定板３７の第１螺着孔４２に、位置調整して固定することにより、第１長板４５と第１ねじ固定板３７との相対配置を調整して、第１コリメートレンズ２６ａに対して第１レーザ発光部２５ａを位置調整することができる。また、第２ねじ５７を、第２長板４９の第２挿通孔５１に挿通した後、第２ねじ固定板３８の第２螺着孔４３に、位置調整して固定することにより、第２長板４９と第２ねじ固定板３８との相対配置を調整して、第２コリメートレンズ２６ｂに対して第２レーザ発光部２５ｂを位置調整することができる。そのため、第１レーザ発光部２５ａおよび第１コリメートレンズ２６ａとの間、第２レーザ発光部２５ｂおよび第２コリメートレンズ２６ｂとの間の位置調整を容易に達成することができる。
【０１０２】
また、各位置調整フレーム２４は、第１ホルダ板３０と、第２ホルダ板３１と、ベース板３２とを連続して一体的に備えており、１枚の板金を折り曲げ加工することによって形成されている。これによって、部品点数の低減化、構成の簡略化およびコストの低減化を図ることができる。
また、各位置調整フレーム２４においては、第１長板４５の第１挿通孔４７に挿通された第１ねじ５２を、第１ねじ固定板３７の第１螺着孔４２に対して進退させれば、第１長板４５と第１ねじ固定板３７との対向方向において間隔を隔てて配置されている第１長板４５とおよび第１レンズ溝４０の相対位置を調整して、第１コリメートレンズ２６ａに対する第１レーザ発光部２５ａの精度のよい位置調整を達成することができる。また、第２長板４９の第２挿通孔５１に挿通された第２ねじ５７を、第２ねじ固定板３８の第２螺着孔４３に対して進退させれば、第２長板４９と第２ねじ固定板３８との対向方向において間隔を隔てて配置されている第２長板４９とおよび第２レンズ溝３５の相対位置を調整して、第２コリメートレンズ２６ｂに対する第２レーザ発光部２５ｂの精度のよい位置調整を達成することができる。
【０１０３】
また、各レーザ照射光学部１８においては、反射ミラー２８によって、第１レーザ光および第２レーザ光の主走査方向Ｘにおける相対位置を一致させるので、第１レーザ発光部２５ａおよび第１コリメートレンズ２６ａと、第２レーザ発光部２５ｂおよび第２コリメートレンズ２６ｂとを、副走査方向Ｙにおいて互いに異なる位置に配置して、これらの効率的なレイアウトを確保することができ、装置の小型化を図ることができる。
【０１０４】
また、各レーザ照射光学部１８においては、第１コリメートレンズ２６ａを通過した第１レーザ光および第２コリメートレンズ２６ｂを通過した第２レーザ光は、それぞれ第１スリット孔５５および第２スリット孔５６をそれぞれ通過した後に、反射ミラー２８に入射する。そして、第１スリット孔５５を通過した後の第１レーザ光および第２スリット孔５６を通過した後の第２レーザ光は、それぞれ第１スリット孔５５および第２スリット孔５６によって断面形状が制限されるので、第１レーザ光と第２レーザ光との互いの干渉が防止される。その結果、反射ミラー２８によって、第１レーザ光および第２レーザ光の主走査方向Ｘにおける相対位置を、精度よく一致させることができる。
【０１０５】
また、各レーザ照射光学部１８においては、各反射ミラー２８が位置決めされ、保持されるミラー位置決め部材５８が、スリット板２７と一体的に形成されているので、部品点数の低減化および構成の簡略化を図ることができる。
また、各位置調整フレーム２４においては、第１レンズ溝４０が形成されている支持板３４と、第２レンズ溝３５が形成されている固定板３３との間に、副走査方向Ｙに沿って段差部４１が設けられているので、第１レンズ溝４０と第２レンズ溝３５とを、副走査方向Ｙにおいて互いに異なる位置に簡易に配置することができる。
【０１０６】
また、各位置調整フレーム２４において、第１ホルダ板３０の第１長板４５と第２ホルダ板３１の第２長板４９とが、互いに略直角方向に配置されているので、第１長板４５に保持される第１レーザ発光部２５ａと、第２長板４９に保持される第２レーザ発光部２５ｂとを、互いに略直角方向に配置して、反射ミラー２８によって、第１レーザ光および第２レーザ光の主走査方向Ｘにおける相対位置を、精度よく一致させることができる。また、第１レーザ発光部２５ａおよび第２レーザ発光部２５ｂの効率的なレイアウトを確保することができ、装置の小型化を図ることができる。
【０１０７】
また、各位置調整フレーム２４においては、第１ねじ固定板３７と第２ねじ固定板３８とが、固定板３３から互いに上下方向の反対方向に折り曲げられているので、簡易な折り曲げによって、第１ねじ固定板３７と第２ねじ固定板３８とを、それぞれ、副走査方向Ｙにおいて異なる位置に配置することができる。
また、このスキャナユニット１２では、レーザ照射光学部１８は、ポリゴンミラー１７に対して、幅方向一方側において、互いに隣り合うように２つ配置されており、一方の１組（第１レーザ光および第２レーザ光）のレーザ光と、他方の１組のレーザ光とが、ポリゴンミラー１７に対して平行かつそれぞれ異なる偏向面に入射される。つまり、このスキャナユニット１２では、２つのレーザ照射光学部１８を、各レーザ照射光学部１８から発光される１組のレーザ光が、ポリゴンミラー１７の互いに異なる偏向面に照射されるように配置されるので、効率のよいレイアウトを確保して装置の小型化を図ることができる。
【０１０８】
また、このスキャナユニット１２では、２つのレーザ照射光学部１８を備え、２つの第１レーザ発光部２５ａおよび第２レーザ発光部２５ｂから発光される２つの第１レーザ光および２つの第２レーザ光、つまり、４つのレーザ光を、ポリゴンミラー１７によってそれぞれ走査することができる。そのため、イエロー、マゼンタ、シアンおよびブラックのそれぞれに対応した静電潜像を形成して、カラー画像を形成することができる。
【０１０９】
また、各レーザ照射光学部１８は、一方の１組のレーザ光と、他方の１組のレーザ光とが、ポリゴンミラー１７に対して平行して入射されるように、各レーザ照射光学部１８が配置されている。そのため、各レーザ照射光学部１８をポリゴンミラー１７に対してコンパクトに配置することができる。
また、このカラーレーザプリンタ１では、スキャナユニット１２から出射された４つのレーザ光によって、各感光ドラム５１に静電潜像がそれぞれ形成される。そのため、精度のよい静電潜像を、各感光ドラム５１に形成して、精度のよいカラー画像の形成を達成することができる。
【図面の簡単な説明】
【０１１０】
【図１】本発明の画像形成装置としてのカラーレーザプリンタの一実施形態を示す側断面図である。
【図２】図１に示すカラーレーザプリンタのスキャナユニットの平面図である。
【図３】図２に示すスキャナユニットのレーザ照射光学部の光学系を示す斜視図である。
【図４】図３に示すレーザ照射光学部の位置調整フレームを示す斜視図である。
【図５】図３に示すレーザ照射光学部の位置調整フレームを示す平面図である。
【図６】図２に示すスキャナユニットにおいて、レーザ出射光学部の光学系を示す側面図である。
【符号の説明】
【０１１１】
１      カラーレーザプリンタ
１５    感光ドラム
１６    スキャナユニット
１７    ポリゴンミラー
２０    レーザ出射光学部
２５ａ  第１レーザ発光部
２５ｂ  第２レーザ発光部
２６ａ  第１コリメートレンズ
２６ｂ  第２コリメートレンズ
２７    スリット板
２８    反射ミラー
３０    第１ホルダ板
３１    第２ホルダ板
３２    ベース板
３３    固定板
３５    第２レンズ溝
３７    第１ねじ固定板
３８    第２ねじ固定板
４０    第１レンズ溝
４１    段差部
４５    第１長板
４９    第２長板
５１    第１ねじ
５５    第１スリット孔
５６    第２スリット孔
５７    第２ねじ
５８    ミラー位置決め部材
【図１】
2006178370.tif 000003
【図２】
2006178370.tif 000004
【図３】
2006178370.tif 000005
【図４】
2006178370.tif 000006
【図５】
2006178370.tif 000007
【図６】
2006178370.tif 000008